【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
端部の一方側が正極外部端子として、他方側が負極外部端子として、それぞれ機能する複数の単電池と、
中枠、及び前記中枠の両側に配置された第１、第２の外枠を備え、前記中枠の一方側と前記第１の外枠とによって複数の前記単電池を挟み込むことにより、さらには、前記中枠の他方側と前記第２の外枠とによって複数の前記単電池を挟み込むことにより、前記複数の単電池を保持する枠体と、
前記複数の単電池を電気的に接続する複数の接続導体と、
前記複数の単電池のそれぞれの電圧を検出するための電圧検出配線と、を有し、
前記中枠は、
前記単電池の端部と当接する円弧状の当接部が両側に複数形成された２つの中枠保持部と、
前記２つの中枠保持部の間に設けられ、前記２つの中枠保持部を支持する中枠支持部と、
前記第１、第２の外枠のそれぞれと嵌合する嵌合部と、を備えており、
前記第１、第２の外枠は、それぞれ、
前記単電池の端部と当接する円弧状の当接部が前記中枠側に複数形成された２つの中枠保持部と、
前記中枠と嵌合する嵌合部と、を備えており、
前記中枠と、前記第１、第２の外枠のそれぞれとは、前記中枠の前記嵌合部と、前記第１、第２の外枠のそれぞれの嵌合部とが嵌合することにより結合されており、
前記複数の単電池は、前記中枠の両側には配設されて、それぞれの端部が、前記中枠の前記当接部と前記第１の外枠或いは前記第２の外枠の前記当接部との間に挟みこまれた状態で保持されている、
ことを特徴とする組電池。
【請求項２】
請求項１に記載の組電池において、
前記当接部には、前記単電池の端部を位置決めするための位置決め部が形成されている、
ことを特徴とする組電池。
【請求項３】
請求項１又は２に記載の組電池において、
前記当接部には、接合材を充填するための円弧状の溝部が形成されている、
ことを特徴とする組電池。
【請求項４】
請求項１乃至３のいずれかに記載の組電池において、
前記複数の単電池は、前記単電池間が離間するように保持されることによって、冷却風が通る通風路を形成している、
ことを特徴とする組電池。
【請求項５】
請求項１乃至４のいずれかに記載の組電池において、
前記複数の接続導体は、それぞれ、前記中枠に装着された状態で、前記単電池の前記正極外部端子及び前記負極外部端子に溶接されている、
ことを特徴とする組電池。
【請求項６】
請求項１乃至５のいずれかに記載の組電池において、
前記嵌合部は、嵌合穴、及び前記嵌合穴に嵌合する突起によって構成されている、
ことを特徴とする組電池。
【請求項７】
請求項１乃至６のいずれかに記載の組電池において、
前記電圧検出配線の一方にはコネクタが設けられている、
ことを特徴とする組電池。
【請求項８】
請求項１乃至７のいずれかに記載の組電池を複数備えた電池モジュール。
【手続補正２】
【補正対象書類名】明細書
【補正対象項目名】発明の名称
【補正方法】変更
【補正の内容】
【発明の名称】組電池および電池モジュール
【手続補正３】
【補正対象書類名】明細書
【補正対象項目名】０００１
【補正方法】変更
【補正の内容】
【０００１】
本発明は組電池および電池モジュールに係り、特に、端部の一方側が正極外部端子として、他方側が負極外部端子として、それぞれ機能する複数の単電池を保持する枠体を備えた組電池および該組電池を複数備えた電池モジュールに関する。
【手続補正４】
【補正対象書類名】明細書
【補正対象項目名】０００９
【補正方法】変更
【補正の内容】
【０００９】
本発明は上記事案に鑑み、組立性の向上を図ることができる組電池および該組電池を複数備えた電池モジュールを提供することを課題とする。
【手続補正５】
【補正対象書類名】明細書
【補正対象項目名】００１０
【補正方法】変更
【補正の内容】
【００１０】
上記課題を解決するために、本発明の第１の態様は、端部の一方側が正極外部端子として、他方側が負極外部端子として、それぞれ機能する複数の単電池と、中枠、及び前記中枠の両側に配置された第１、第２の外枠を備え、前記中枠の一方側と前記第１の外枠とによって複数の前記単電池を挟み込むことにより、さらには、前記中枠の他方側と前記第２の外枠とによって複数の前記単電池を挟み込むことにより、前記複数の単電池を保持する枠体と、前記複数の単電池を電気的に接続する複数の接続導体と、前記複数の単電池のそれぞれの電圧を検出するための電圧検出配線と、を有し、前記中枠は、前記単電池の端部と当接する円弧状の当接部が両側に複数形成された２つの中枠保持部と、前記２つの中枠保持部の間に設けられ、前記２つの中枠保持部を支持する中枠支持部と、前記第１、第２の外枠のそれぞれと嵌合する嵌合部と、を備えており、前記第１、第２の外枠は、それぞれ、前記単電池の端部と当接する円弧状の当接部が前記中枠側に複数形成された２つの中枠保持部と、前記中枠と嵌合する嵌合部と、を備えており、前記中枠と、前記第１、第２の外枠のそれぞれとは、前記中枠の前記嵌合部と、前記第１、第２の外枠のそれぞれの嵌合部とが嵌合することにより結合されており、前記複数の単電池は、前記中枠の両側には配設されて、それぞれの端部が、前記中枠の前記当接部と前記第１の外枠或いは前記第２の外枠の前記当接部との間に挟みこまれた状態で保持されている、ことを特徴とする。
【手続補正６】
【補正対象書類名】明細書
【補正対象項目名】００１１
【補正方法】変更
【補正の内容】
【００１１】
第１の態様では、第１または第２の外枠を基準に単電池を配設して中枠と第１または第２の外枠とで単電池を挟み、中枠と第２または第１の外枠とで単電池を挟むことで中枠の両側に単電池が配設され、中枠と第１および第２の外枠とを結合することで、組電池を構成する複数の単電池が枠体に保持されるので、組電池の組立作業が簡便となり、組立性の向上を図ることができる。
【手続補正７】
【補正対象書類名】明細書
【補正対象項目名】００１２
【補正方法】変更
【補正の内容】
【００１２】
第１の態様において、当接部には、単電池の端部を位置決めするための位置決め部が形成されていてもよい。また、当接部には、接合材を充填するための円弧状の溝部が形成されていてもよい。さらに、複数の単電池は、単電池間が離間するように保持されることによって、冷却風が通る通風路を形成していることが好ましい。また、複数の接続導体は、それぞれ、中枠に装着された状態で、単電池の正極外部端子及び負極外部端子に溶接されていてもよい。さらに、嵌合部を、嵌合穴、及び嵌合穴に嵌合する突起によって構成してもよい。また、電圧検出配線の一方にはコネクタが設けられていてもよい。
【手続補正８】
【補正対象書類名】明細書
【補正対象項目名】００１３
【補正方法】変更
【補正の内容】
【００１３】
また、上記課題を解決するために、本発明の第２の態様は、第１の態様の組電池を複数備えた電池モジュールである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明によれば、第１または第２の外枠を基準に単電池を配設して中枠と第１または第２の外枠とで単電池を挟み、中枠と第２または第１の外枠とで単電池を挟むことで中枠の両側に単電池が配設され、中枠と第１および第２の外枠とを結合することで、組電池を構成する複数の単電池が枠体に保持されるので、組電池の組立作業が簡便となり、組立性の向上を図ることができる、という効果を得ることができる。
【手続補正１４】
【補正対象書類名】明細書
【補正対象項目名】００６３
【補正方法】変更
【補正の内容】
【００６３】
１  組電池
２  外枠（第１、第２の外枠、枠体の一部）
３  中枠（枠体の一部）
４  コネクタ付き電圧検出用リード線（電圧検出配線）
７  単電池間ブスバ（接続導体）
１０  中枠支持部
１４  単電池
１８  外枠保持部
１９  外枠支持部
２０  円弧状溝部
２１  交差溝部
２９  位置決め部
３０  中枠保持部
３２  当接部
３３  第１の嵌合穴（中枠と嵌合する嵌合部の一部）
３４  第１の突起（中枠と嵌合する嵌合部の一部）
３５  第２の突起（第１、第２の外枠のそれぞれと嵌合する嵌合部の一部）
３６  第２の嵌合穴（第１、第２の外枠のそれぞれと嵌合する嵌合部の一部）
５０  電池モジュール